(57)【特許請求の範囲】
【請求項１】
一対の内蓋（Ｃ3）と、一対の外蓋（Ｃ4）とを備える包装箱の封緘具であって、
当該封緘具は、前記一対の外蓋（Ｃ4）同士のみを連結するもので、略並行に配置された上押え（Ｄ1）と下押え（Ｄ3）、及び、前記上押え（Ｄ1）と前記下押え（Ｄ3）とを連結する支柱（Ｄ2）とから成り、
幅側側面を見るかたちに於いて、前記支柱（Ｄ2）の左右両方に、前記上押え（Ｄ1）と前記下押え（Ｄ3）で成す挟み口をもつ、
片方の前記挟み口は、もう片方の前記挟み口の奥行きよりも深い奥行きを備える、ことを特徴とする包装箱の封緘具。
【請求項２】
前記支柱（Ｄ2）の一端は前記上押え（Ｄ1）と接続され、前記支柱（Ｄ2）の他端は下押え（Ｄ3）の下方に抜けるとともに、前記上押え（Ｄ1）と前記下押え（Ｄ3）との間隔を調整するバネ部材（Ｄ4）に接続した、ことを特徴とする請求項１記載の封緘具。
【請求項３】
長さ側側面を見るかたちに於いて、前記上押え（Ｄ1）の長さ幅は、前記下押え（Ｄ3）の長さ幅よりも短い長さ幅で、前記一対の外蓋（Ｃ4）が下方に落ち込まないよう押えるには足りない長さ幅を成す、
前記一対の外蓋（Ｃ4）が下方に落ち込まないよう受け支える機能は、前記一対の内蓋（Ｃ3）の存在に依存する、ことを特徴とする請求項１または請求項２記載の封緘具。
【発明の詳細な説明】
【技術分野】
【０００１】
本発明は、一対の内蓋と一対の外蓋とを有して成る段ボール箱等、包装箱の封緘具に関す。
本発明は、支柱を介して、下押えと上押えとが連結されて成る封緘具に関す。
【０００２】
本発明は、特許文献１の封緘具と同様に、封緘する操作に於いて、一対の外蓋を浮かせた状態にして、一対の外蓋を同時あるいは一緒にたたみ合せる方法をとる、とする封緘具に関す。
即ち、封緘する操作の最初の段階で、一対の外蓋を上下から挟み捉え、上押えを回転させるとき、上押えと下押えが外蓋の縁に突っ掛かることのない方法をとる、とする封緘具に関す。
【背景技術】
【０００３】
包装箱は、以下、段ボール箱を念頭にして説明する。
【０００４】
従来の封緘具、例えば、特許文献１のものは、開封する度に外蓋から外れてしまう。蓋の開け閉めを繰り返す使い方をする上で不便である。
【先行技術文献】
【特許文献】
【０００５】
【特許文献１】欧州特許出願公開第１６７１８８９号
【発明の概要】
【発明が解決しようとする課題】
【０００６】
特許文献１のもの（以下、従来の封緘具と云う）は、上押えを回転させるとき、上押え、あるいは下押えが、外蓋の縁に突っ掛からない利点がある。
本発明の課題は、その利点の上に、更なる便利を加えようとするものである。
更なる便利とは、開封したとき、封緘具が、片方の外蓋に取り付いたまま居残るものにすることである。
【０００７】
開封したとき、封緘具が、片方の外蓋に取り付いたまま居残るものであれば、再び封緘する上で便利である。
従来の封緘具は、開封した後、再び封緘するに於いて、封緘具を改めて手に入れ、あるいは手にして、改めて取り付けなければならない不便がある。本発明は、その不便を解決することを主課題とする。
【０００８】
尚、上記の主課題と合せて、次の２つの課題を解決することとする。
【０００９】
１つは、「外蓋の厚みに多少の違いがあっても、対応できるものにすること」である。
従来の封緘具は、下押えと上押えの間隔が固定した状態に連結されており、一定の厚みの外蓋をもつ段ボール箱には使用できるが、外蓋の厚みに違いがあれば使用できない、あるいは使用に適さない。
【００１０】
もう１つは、「荷扱いにも適うものにすること」である。
従来の封緘具は、上押えが大きく、その存在自体が邪魔になり、他の箱を上積みするときに突っ掛かる、あるいは引っ掛かる。また上積みした箱がぐらついて安定しないなどの問題が生じる。
【課題を解決するための手段】
【００１１】
開封したとき、封緘具が、片方の外蓋に取り付いたまま居残る形態を成すものにした。その形態は、幅側側面を見た（Ａ方向から見た）かたちに於いて、支柱の片方（例えば、左方）に向く挟み口を、奥行きの浅い挟み口に成し、もう片方（右方）に向く挟み口を、奥行きの深い挟み口に成すものである。
以下、この形態を、「開封したとき、封緘具が、片方の外蓋に取り付いたまま居残る形態」ともいう。
【００１２】
「外蓋の厚みに多少の違いがあっても対応できるものにするための手段」としては、下押えと上押えの間に介在する部分の支柱の丈幅が調整されるバネ機能をもつものとした。
即ち、外蓋の厚みに多少の違いがあっても、調整されるバネ機能をもつものとした。
【００１３】
「荷扱いに適うものにするための手段」としては、上押えの大きさを出来るだけ小さなものにすることに着眼し、従来の封緘具がもつ機能のうち、一対の外蓋が下方に（箱の内側に）落ち込まないよう押えるための機能を、一対の内蓋の存在に依存する、即ち、一対の内蓋の受け支えに依存する方法をとるものとした。
【発明の効果】
【００１４】
開封したとき、封緘具は、片方の外蓋に取りついたまま居残るものになった。再び封緘するとき、封緘具を改めて手に入れ、あるいは手にして、改めて取り付ける必要がなくなり、蓋の開け閉めが便利になった。
【００１５】
段ボール箱の大きさにより、外蓋の厚みはそれぞれ違う。それぞれの厚みに合う封緘具を手許に用意しておくことは難しい。
バネ機能をもったことで、「外蓋の厚みに多少の違いがあっても使用できるもの」になり、実用に適した封緘具を得ることができた。
【００１６】
封緘具が対象とする一定の厚みの外蓋でも、紙の歪みあるいは湿気等により、封緘具の挟み付けが必ずしもスムーズにできることではない。きつい状態であったり、緩い状態であったりもする。バネ機能をもったことで、然様に微妙な問題にも対応できるものになった。
【００１７】
一対の外蓋が下方に落ち込まないよう押える機能を、一対の内蓋の受け支えに依存する方法をとったことで、上押えを小さなものにすることができ、荷扱いに適うもの、あるいは荷扱いの支障を軽微にするものになった。
【図面の簡単な説明】
【００１８】
【図１】本発明の封緘具である。
【図２】図１の封緘具である。
【図３】図１の封緘具について操作過程を示した図である。
【図４】挟み口を説明する図である。
【図５】図１に使用したバネ部材である。
【図６】バネ機能を説明する図である。
【図７】従来の封緘具（特許文献１のもの）である。
【発明を実施するための形態】
【００１９】
実施例を説明する上で、図を見たままの状態で、上、下、縦、横、左、右、向こう、手前、内、外、裏、表の意味を使い分ける。
段ボール箱は、幅面と長さ面がある。主に幅面を見る方向から見たかたちで表現する。
本書では、一対の外蓋を左側と右側、即ち、左右に見たかたちで表現する。また、一対の外蓋の合せ目を縦筋に見たかたちで表現する。
【００２０】
封緘状態に於ける封緘具を、段ボール箱の幅面(Ｃ１)を見る方向から見た側を長さ側と云い、同方向から見る左右に延びる幅を長さ幅と云う。長さ側の側面を長さ側側面と云う。
封緘状態に於ける封緘具を、段ボール箱の長さ面(Ｃ２)を見る方向から見た側を幅側と云う。幅側の側面を幅側側面と云う。
封緘状態にない封緘具を見る表現に於いても、封緘状態にある封緘具に見立てて、同じく、長さ側、長さ幅、長さ側側面、幅側、幅側側面と云う。
【００２１】
以下、図を通して説明する。
【００２２】
図１を説明する。
図１は、開封したとき、片方の外蓋に取り付いたまま居残ることができる形態に成した本発明の封緘具である。
図１は、下押えと上押えとをバネ部材（図５参照）を以って連結した封緘具である。
尚、上押えは、バネ部材の上辺に、上押えとする板状部材を組み付けて成したものである。
図１(１)は、斜視図である。図１(２)は、幅側側面を見た（Ａ方向から見た）側面図である。図１(３)は、長さ側側面を見た（Ｂ方向から見た）側面図である。
【００２３】
本封緘具は、下押え(Ｄ３)の形態を基準にして見たとき、幅側の幅（Ａ方向から見る横幅）よりも、長さ側の長さ幅（Ｂ方向から見る長さ）の方が長い形態に成したものである。
本封緘具は、幅側側面から（Ａ方向から）見るかたちに於いて、図１(２)に見るように、支柱(Ｄ２)の片方（例えば、左方）に向く挟み口の奥行きを浅く、もう片方（右方）に向く挟み口の奥行きを深く成したものである。
尚、奥行きが浅い方の挟み口は、上押え(Ｄ１)が長く、下押え(Ｄ３)が短く延びて成るものである。因みに、奥行きが深い方の挟み口は、上押えと下押えのどちらが長く、どちらが短くても良いし、同じ長さでも良いが、本書では上押えが長く、下押えが短く延びて成る挟み口として示した。
【００２４】
図２を説明する。
図２は、図１に示した本封緘具の裏側を見た斜視図である。
バネ部材の下辺(Ｄ４３)の在り様について示した図である。
図１に示した本封緘具は、上押えの回転と同時に下押えも回転するよう、下押えと上押えとを連結するバネ部材の下辺の先端を、下押えに固定しているものである。
【００２５】
図３を説明する。
図３(１)(３)(５)は、図１に示した封緘具を以って、段ボール箱を封緘する操作の過程を示したものである。
図３(２)は図３(１)の状態、図３(４)は図３(３)の状態、図３(６)は図３(５)の状態を段ボール箱の幅面(Ｃ１)を見る方向から見た部分図である。
【００２６】
図３(１)は、奥行きの深い挟み口を成す側を、片方（右方）の外蓋に取り付けた様子を示した図である。
図３(３)は、一対の外蓋をやや浮かせた状態（半閉じ状態）にして、一対の外蓋を同時あるいは一緒にたたみ合せる時点の様子を示した図である。即ち、一対の外蓋をやや浮かせた状態にし、その合せ目に本封緘具を挟み入れた様子を示した図である。
図３(５)は、封緘状態を示した図である。即ち、図３(３)の状態から、一対の外蓋を平らな状態にたたみ合せた上で、上押えを回転させ、上押えを一対の外蓋の上に掛け渡すとともに、下押えの長さ幅が延びる方向を、一対の外蓋の合せ目筋（縦筋）に交叉する方向に向けた状態を示した図である。
図３(７)については、後段で説明する。
【００２７】
図３は、本封緘具の挟み口について説明するものでもある。
図３(２)(４)に見るかたちは、封緘するとき、開封するときに於ける挟み口について、片方の外蓋に取り付くかたち、あるいは取り付いているかたち、あるいは一対の外蓋を浮かせた状態において、一対の外蓋を同時あるいは一緒にたたみ合せるかたちとして、奥行きの深い挟み口、奥行きの浅い挟み口を説明しているものである。
図３(６)(７)に見るかたちは、封緘状態に於ける挟み口で、本発明の封緘具と、従来の封緘具との違いを説明する意味に於いて、奥行きの浅い挟み口、奥行きの深い挟み口を説明しているものである。
前者に於ける挟み口と、後者に於ける挟み口は、形態も意味合いも異なるものである。
後者については、後段で説明する。
【００２８】
図４を説明する。
図４は、図１(２)に示した図と同じである。
図４は、上記した前者の「奥行きの深い挟み口」および「奥行きの浅い挟み口」を説明する図である。
ｍ１、ｍ２で成る側が、奥行きの深い挟み口である。ｍ３、ｍ４で成る側が、奥行きの浅い挟み口である。
因みに、ｍ３の幅は、ｍ１の幅よりも短いものとする。ｍ４の幅は、ｍ３の幅よりも短いものとする。ｍ２の幅は、ｍ４の幅よりも長いものとする。
尚、図３(２)に示す如きに、ｍ１、ｍ２で成る奥行きの深い方の挟み口を片方（例えば、右方）の外蓋に挟み付けて、図３(４)に示す如きに、一対の外蓋を浮かせた状態をとったとき、ｍ３、ｍ４で成る奥行きの浅い方の挟み口は、もう片方（左方）の外蓋を捉え得る形態を成すものとする。
【００２９】
図４に係る実施例を説明する。
開口部が、縦３８センチ、横３０センチの段ボール箱を対象にした実施例では、ｍ１の幅は３.５センチ、ｍ２の幅は３センチ、ｍ３の幅は１.５センチ、ｍ４の幅は０.７センチであった。
上記は、一例であって、そのサイズは、ｍ３の幅はｍ１の幅よりも短い、ｍ４の幅はｍ３の幅よりも短い、ｍ２の幅はｍ４の幅よりも長い、とする範囲内に於いて任意に設定して良い。
因みに、ｍ１の幅とｍ２の幅の関係は、その作りにより、ｍ１とｍ２のどちらの幅を短く、あるいは長くしても良い。要は、挟み付け易いかたちをとれば良い。
尚、形状、デザインは、任意に設定、デザインして良い。
【００３０】
下押えの形状によっては、下押えが回転するとき、時として、下押えの縁が内蓋の縁に突っ掛る、あるいは引っ掛かって、開封できない事態が生じることがある。下押えの厚みはできるだけ薄く、その縁はヘラ状にするなどの措置をとっておくことが望ましい。
【００３１】
図５を説明する。
図５は、図１に使用したバネ部材ある。
図５(１)は、斜視図である。図５(２)は、側面図である。図５(３)は、平面図である。図５(４)は、正面図である。
バネ部材は、１本の線材を折り曲げて成したものである。実施例では、＃１２（2.6〜2.5ミリ径）の金属線を使用し、側面から見るかたちとして、図５(２)に示すように上辺(Ｄ４１)、縦辺（Ｄ４２）、下辺(Ｄ４３)の概ね３辺で成るものとした。
上辺は、上押えと連結する部分である。縦辺は、支柱を兼ねる部分である。下辺は、
下押えを支持する部分であると同時にバネを成す部分である。
【００３２】
図５に示したバネ部材は、下辺(Ｄ４３)に左右にくねるかたちを作った。このくねりは、バネを生み易く、あるいはバネを働き易くするため、あるいはバネを柔らかくするためである。
尚、下辺(Ｄ４３)の先端（下押えに接する部分)は、バネ部材が平衡を保つかたち、同時に、下押えの裏側に固定するかたちに成したものである。
【００３３】
図６を説明する
図６は、図１(２)の透視図である、即ち、支柱を兼ねたバネ部材を以って、上押えと下押えとを連結した様子を示した図である。
下押え(Ｄ３)の下側に張り出した部分が、バネとなって働く部分である。
外蓋に挟み付けたとき、上押え(Ｄ１)と下押え(Ｄ３)との間隔(Ｗ１)が押し広げられる、即ち、下押えと上押えとの間に介在する部分の丈幅(Ｗ１)が延び、その分、下押えの下方に突き出た部分の丈幅(Ｗ２)が短くなるかたちでバネが働く。
【００３４】
本封緘具は、図３で説明したように、先ず、片方の外蓋に取り付け、次いで一対の外
蓋をたたみ合せた後、上押えを回転させて封緘状態を得るものである。
即ち、付け外しに於いて、回転操作を伴うものである。上押えを回転させたとき、上押えとともにバネの働く方向も変わることが求められる。
片方の外蓋に取り付けた段階では、バネ機能は片方の外蓋に働き、封緘状態にあるときは、バネ機能は一対の外蓋の両方に働くことが求められる。
【００３５】
バネ部材は、側面から見るかたちに於いて、支柱を兼ねる縦辺の左方または右方の片方に向いた挟み口を成すものにした。
このかたちは、片方の外蓋に取り付いた状態にあるときは、片方の外蓋に集中的にバネが働き、一対の外蓋を封緘している状態にあるときは、一対の外蓋の両方にバネが働く。即ち、上押えを回転させる操作を伴う封緘具の特性に適うかたちとして、方向をもった挟み口を成したバネ部材を以って、下押えと上押えとを連結するものである。
【００３６】
図７は、従来の封緘具（特許文献１）について説明するものである。
本書の冒頭に於いて、「従来の封緘具は、開封する度に外蓋から外れてしまう、蓋の開け閉めを繰り返す使い方をする上で不便である」と記載した。これらについて説明するものである。
【００３７】
図７(１)は、平面図である。図７(２)(４)は、図７(１)に示した封緘具を以って封緘する操作の過程を示したものである。
図７(３)は図７(２)の状態、図７(５)は図７(４)の状態を、段ボール箱の幅面(Ｃ１)を見る方向から見た部分図である。
因みに、図７(１)は、同文献１の図２から、図７(２)(３)は、同文献１の図３から、図７(４)(５)は同文献１の図１、６から導いた図である。
【００３８】
図７(２)は、一対の外蓋をやや浮かせた状態（半閉じ状態）にし、その合せ目に封緘具を挟み入れた様子を示したものである。
図７(３)に見るように、上押え(Ｄ１)は長く延び、下押え(Ｄ３)は短く延び、奥行きの浅い挟み口を成している。即ち、一対の外蓋を浮かせた状態にして、一対の外蓋を同時に捉え得るかたちの奥行きの浅い挟み口を成している。尚、一対の外蓋を同時に捉えるかたちとして、左方に向いた挟み口と右方に向いた挟み口は、共に奥行き幅を同じくする浅い挟み口を成すものにしている。
因みに、図７(３)のかたちと、本封緘具の図３(２)(４)のかたちとの違いについて注目されたい。
【００３９】
図７(４)は、図７(２)の状態から、封緘具とともに両外蓋を下押しして、一対の外蓋を平らな状態にたたみ合せた上で上押えを回転させ、下押えの長さ幅が延びる方向を一対の外蓋の合せ目（縦筋）に交叉する方向に向けた状態、即ち、封緘状態にした図である。
その封緘状態は、図７(５)に見るように、一対の外蓋を裏表から挟み押えるもので、上方から下押しする作用(Ｐ１)を受けても、また、下方から上押しする作用(Ｐ２)を受けても、この封緘状態を保持する、というものである。
【００４０】
即ち、上押えの長さ幅は、下押えの長さ幅よりも相対的には短いものになっているが、実体としては、上押えは、上方から下押しする作用(Ｐ１)を受けても、一対の外蓋が下方に落ち込まないよう押えるに足る所要の長さ幅（以下、長い長さ幅とも云う）をもつものである。下押えも、下方から押し上げる作用(Ｐ２)を受けても、一対の外蓋が上方に浮き上がらないよう押えるに足る所要の長さ幅（以下、長い長さ幅とも云う）をもつものである。
即ち、長い長さ幅の上押えと、長い長さ幅の下押えとで成す奥行きの深い挟み口をもって、一対の外蓋を裏表から挟み押える形態を成すものである。
このことについて、同文献１の和文抄録には、「ふた２を上板２と保持板５が挟んで保持する」と記載されている。
【００４１】
開封する際の操作は、封緘する際の操作とは逆の手順で、図７(４)から図７(２)の過程を経るものである。開封できる状態にしたとき、即ち、図７(３)に見る状態にしたときは、封緘具は一対の外蓋から、ほぼ外れる状態にあり、開封した瞬間に一対の外蓋から外れてしまう、即ち、封緘具は外蓋に取り付いていることができないものである。
因みに、図７(３)のかたちと、本封緘具の図３(２)(４)のかたちとの違いについて、再び注目されたい。
【００４２】
図７に示した封緘具（特許文献１のもの）は、欠点もあるが、良い形態を成すものでもある。それは、図７(３)(５)に見るように、封緘操作の当初から封緘状態にするまで、終始、一対の外蓋を裏表から押えている形態を成すものである。
この形態は、例えば、特開平１１−５９６６３号の如きものと異なり、上押えを回転させるとき、上押えが外蓋の縁に突っ掛かる、あるいは引っ掛かるということがなく、スムーズに回転させることができる。云うならば、本発明は、「その良さ」の上に更なる便利を加え、実用に値するものにすることを狙いとしたものでもある。
因みに、特開平１１−５９６６３号のものは、幅側側面を見るかたちに於いて、上押えが支柱の左方または右方のどちらか片方に延びているものであるのに対し、特許文献１のもの並びに本封緘具は、幅側側面を見るかたちに於いても、上押えが支柱の左方、右方の両方に延びて成るものである。
【００４３】
以下、バネ機能、あるいはバネ部材について補足説明をする。
【００４４】
云うまでもないが、本発明で云うバネ機能は、挟み口が押し広げられる作用によって生ずる応力あるいは反発力を以って、自発的あるいは自動的に調整する機能である。
【００４５】
本書では、一例として、図５(２)に示したように側面から見るかたちに於いて、上辺、縦辺、下辺の概ね３辺を有して成るバネ部材を説明した。
図５に示すバネ部材は、バネの働きを良くするためのかたちとして、下辺について、左右に迂曲するかたちを作っているものであるが、螺旋状に渦巻いたかたちをつくるなど、任意に設定するバネであっても良い。
また、下押えの幅側の長さ（横幅）を大きく取る場合であれば、下辺に迂曲するかたちや渦巻いたかたちを作るまでもなく、斜め真っ直ぐに延びるものであっても良い。
因みに、図５に示したバネ部材は、図１に示した封緘具のかたちに対応して成した一例である。
【００４６】
バネ部材は、封緘具に組み付けた状態に於いて、縦辺や下辺が、下押え(Ｄ３)の下方に出来るだけ大きく出っ張らないようにすることが望ましい。即ち、出っ張りは、支障にならないよう、できるだけ小さめに抑えることが望ましい。
そのかたちとして、図５に示すように下辺(Ｄ４３)のバネ機能は、平たく迂曲するかたちにすると良い。下押えの下方に出っ張る部分は、段ボール箱の中に入っているものを損傷させる恐れがあるので、出っ張りを覆うなどの配慮をするのも良い。
【００４７】
バネ部材は、一対の外蓋が浮き上がらないよう安定した状態に連結するに足るバネの強さ、あるいは付け外しする上でのバネの柔らかさ、あるいはどの程度の厚み（外蓋の
厚み）の違いに対応するものとするかなどを考慮して成すことが肝要である。
【００４８】
バネ部材について、殊に配慮すべき点について説明する。
挟み口は、やや押し広げられるものの、全体の体勢が崩れることなくバネが働くことが肝要である。
バネは、下辺の「しなり」で対応できるものにすることが望ましい。
そのためのかたちとして、下辺を「適度にしなり易く」あるいは「バネとして働き易く」するためのかたちとして、図５(１)(３)に見るように、下辺に迂曲するかたちを成すなどの措置を取ると良い。
【００４９】
バネ部材は、挟み付けた状態に於いて、縦辺が反り曲がってしまうことのないよう、あるいは下辺、上辺に折り分けた折り曲がりが戻ってしまうことのないよう、あるいは上押えを回転させる操作をしたとき、縦辺がねじれを起こしてしまうことのないよう、使用する材料、あるいは素材に配慮することが求められる。
【００５０】
実施例では、バネ部材の素材として＃１２（2.6〜2.5ミリ径）の金属線を使用した。外蓋の厚みの違いが３ミリ程度までであれば対応できるものとなった。
バネ部材に使用する材料、材質、太さなどは、任意に決めて良い。
【００５１】
以下は、荷扱いに適うためにとった手段を説明する。
【００５２】
本書で示した封緘具は、図３(６)のかたちを見て分かるように、もしも、内蓋が存在しない、即ち、内蓋の受け支えが無いと仮定した状態に於いて、上方から下押しする作用(Ｐ)を受けたとき、図３(７)に見るように、一対の外蓋と封緘具は、押されるまま下方に（箱の内側に）落ち込んでしまう形態を成すものである。
即ち、図３(６)に見るように、下押え(Ｄ３)については、一対の外蓋が上方に（外側に）浮き上がらないよう押えるに足る長さ幅（以下、長い長さ幅とも云う）をもつが、上押え(Ｄ１)については、一対の外蓋が下方に（箱の内側に）落ち込まないよう押えるには足りない長さ幅（以下、短い長さ幅とも云う）を成す、と云うものである。
云いかえれば、長い長さ幅の下押えと、短い長さ幅の上押えとで成す「奥行きの浅い挟み口」を成すものである。
本書で示した封緘具は、一対の外蓋が下方に落ち込まないよう押える機能は、一対の内蓋の受け支えに依存する、とした方法をとったものである。
【００５３】
この方法をとることによって、上押えの長さ幅を「短い長さ幅」にすることができる、即ち、上押えを小さくすることができ、封緘した段ボール箱の上に他の箱を上積みする場合に、上押えの存在自体の出っ張りが引っ掛かる、あるいは突っ掛かる、あるいは上積みした箱が安定しないなど、荷扱いする上での支障を軽微にすることができるものにした。
【００５４】
下押え(Ｄ３)を「長い長さ幅」にすることによって、封緘具を内蓋に絡ませることなく封緘できるものとなり、段ボール箱の開口部の中央寄りの位置、即ち、一対の内蓋が向い合う間隔の内に取り付けることでの封緘ができるものにした。
段ボール箱の外蓋は、緩やかに撓む（たわむ）性質をもっている。時間の経過による撓みもある。上積される他の箱の荷重によって生ずる撓みもある。
本発明は上押えを小さく、薄くして、その撓みの中に上押えの存在が埋没することによって、荷扱いの邪魔にならないよう、あるいは支障にならないよう、最も撓みが大きくなる開口部の中央位置に取り付け得るもの、としているものでもある。
【００５５】
奥行きの浅い挟み口を以って封緘する方法（図３(６)参照）をとることによって、奥行きの深い挟み口を以って局所的にロックする従来の封緘方法（図７(５)参照）と比べて、封緘具にとっても外蓋にとっても、無理が掛からないものにした。
例えて云うならば、重い箱が上積みされたときには、図３(７)に示すように、封緘具は外蓋から逃げる（外れる）ことができる。外蓋も損傷する（あるいは折れる）ことなく封緘具から逃げる（外れる）ことができる、とするかたちを取ったものである。
【００５６】
本封緘具は、一対の外蓋が下方に落ち込まないよう押える機能について、一対の内蓋の受け支えに依存するものとしていることから、実際には、一対の外蓋が、図３(７)に示す如くに落ち込んでしまうことはないが、封緘具と外蓋との関係に於いて、図３(７)に示すような遊び（動きの余裕）をもつものであることを説明するものである。
【００５７】
以下は、全体的な事項の補足である。
【００５８】
本発明の封緘具と、従来の封緘具との違いは、図３(２)(４)に見るかたちと、図７(３)に見るかたちとの違いである。
本発明の封緘具は、封緘する際に於ける一対の外蓋を同時にたたみ合せるときのかたち、あるいは、開封する際に於ける開封できる状態をとったときのかたちを、段ボール箱の幅面(Ｃ１)を見る方向から見たとき、片方（例えば、左方）に向く挟み口は、外蓋からたやすく外れてしまうほどに奥行きの浅い挟み口を成し、もう片方（右方）に向く挟み口は、不要に外れないほどに奥行きの深い挟み口を成す、と云うことである。
【００５９】
これによって、封緘具は開封と同時に、奥行きの浅い方の挟み口が外蓋から外れ、奥行きの深い方の挟み口がもう片方の外蓋に取り付いたまま居残る、と云うことである。
【００６０】
再び封緘するときには、既に「図３(２)の状態にある」のであるから、「図３(４)の操作」から行なえば良いことになる。
【００６１】
バネ部材は、側面から見るかたちに於いて、上辺、縦辺、下辺の３辺で成るかたちに固執する必要はない。板バネを使用するなどのものであっても良い。即ち、バネ部材の形態は、任意に決めて良い。
【００６２】
本発明は、段ボール箱を主たる対象として、段ボール箱を念頭に説明した内容になっているが、段ボール箱以外の箱にも適用あるいは使用できるものである。
本書では、それらの箱を包装箱と総称した。
【００６３】
本封緘具は、全体に於いて材料、材質について限定するものではない。尚、必要な機能を損なわない限り、形状、輪郭、デザイン、大きさ、形態など任意に決めて良い。
【００６４】
本発明は、全体の図を通して発明の全容を説明しているものであって、個々の図で説明する技術内容によって、請求項に記載する技術内容は限定されるものではない。
【００６５】
本発明の封緘具は、開封したとき、片方の外蓋に取り付いたまま居残る形態をもったこと、バネ機能をもったこと、荷扱いに適う形態に成したこと、のそれぞれが相乗して、実用性を増したものになった。
「開封したとき、片方の外蓋に取り付いたまま居残る」とする発明、更には「バネ機能をもつ」とする発明、並びに「荷扱いに適う」とする発明のそれぞれは、従来の封緘具にも適用できるものである。
【産業上の利用可能性】
【００６６】
開封したとき、封緘具が、片方の外蓋に取り付いたまま居残る、とする形態を成したことで、蓋の開け閉めを繰り返す使い方に、便利に使えるものになった。その上、外蓋の厚みに多少の違いがあっても対応できる、あるいは荷扱いに適うものにした。物品の保管、管理、物品の移送など家庭用から業務用まで広く対応することができる。
【符号の説明】
【００６７】
包装箱
Ｃ１    幅面
Ｃ２    長さ面
Ｃ３    内蓋
Ｃ４    外蓋
封緘具
Ｄ１    上押え
Ｄ２    支柱
Ｄ３    下押え
Ｄ４    バネ部材
バネ部材
Ｄ４１  上辺
Ｄ４２  縦辺
Ｄ４３  下辺
【要約】
【課題】開封したとき、封緘具が、片方の外蓋に取り付いたまま居残ることができるものにすることを主課題とした。更に、２つの課題を加えた。１つは、外蓋の厚みに多少の違いがあっても対応できるものにすること。もう１つは、荷扱いに適うものにすることである。
【解決手段】幅側側面を見るとき、片方の外蓋に挟み付く挟み口は、外蓋からたやすく外れてしまうほどに奥行きの浅い挟み口を成し、もう片方の外蓋に挟み付く挟み口は、不要に外れないほどに奥行きの深い挟み口を成すものにした。外蓋の厚みに多少の違いがあっても対応するための手段としては、下押えと上押えの間に介在する部分の支柱の丈幅が調整されるバネ機能をもつものとした。荷扱いに適うものにするための手段としては、上押えの大きさを出来るだけ小さなものにすることに着眼し、一対の外蓋が箱の内側に落ち込まないよう押える機能を、一対の内蓋の受け支えに依存する方法をとるものとした。
【選択図】  図１【図１】
0005807819.tif 000002
【図２】
0005807819.tif 000003
【図３】
0005807819.tif 000004
【図４】
0005807819.tif 000005
【図５】
0005807819.tif 000006
【図６】
0005807819.tif 000007
【図７】
0005807819.tif 000008